(57)【要約】【課題】画像データの漏えいを減少させること。【解決手段】通信装置であって、ユーザの操作に応じて撮影を行い、画像データを生成する画像データ生成部と、画像データ生成部により生成された画像データを記憶する画像データ記憶部と、画像データ記憶部に記憶されている画像データを送信する無線通信部と、無線通信部が画像データを送信した後に、画像データ記憶部に記憶されている画像データを削除する削除部と、を備える。【選択図】図４
2013239903.tif 000002
【特許請求の範囲】
【請求項１】
ユーザの操作に応じて撮影を行い、画像データを生成する画像データ生成部と、
前記画像データ生成部により生成された画像データを記憶する画像データ記憶部と、
前記画像データ記憶部に記憶されている画像データを送信する無線通信部と、
前記無線通信部が前記画像データを送信した後に、前記画像データ記憶部に記憶されている前記画像データを削除する削除部と、
を備える通信装置。
【請求項２】
前記削除部が、前記無線通信部が前記画像データを送信しなかった場合は、所定の条件を満たした場合に、前記画像データ記憶部に記憶されている前記画像データを削除する請求項１に記載の通信装置。
【請求項３】
前記所定の条件は、前記無線通信部が、前記画像データの送信処理を開始した時刻又は前記画像データの送信処理を行った回数を条件とする請求項２に記載の通信装置。
【請求項４】
ユーザの操作に応じて撮影を行い、画像を生成する画像データ生成ステップと、
画像データ記憶部が、前記画像データ生成ステップにより生成した画像データを記憶する画像データ記憶ステップと、
前記画像データ記憶部に記憶されている前記画像データを送信する無線通信ステップと、
前記無線通信ステップにおいて前記画像データを送信した後に、前記画像データ記憶部に記憶されている前記画像データを削除する削除ステップと、
を有する通信方法。
【請求項５】
ユーザの操作に応じて撮影を行い、画像を生成する画像データ生成ステップと、
画像データ記憶部が、前記画像データ生成ステップにより生成した画像データを記憶する画像データ記憶ステップと、
前記画像データ記憶部に記憶されている前記画像データを送信する無線通信ステップと、
前記無線通信ステップにおいて前記画像データを送信した後に、前記画像データ記憶部に記憶されている前記画像データを削除する削除ステップと、
をコンピュータに実行させるためのコンピュータプログラム。
【発明の詳細な説明】
【技術分野】
【０００１】
本発明は、画像データの漏えいを減少させる技術に関する。
【背景技術】
【０００２】
従来、殺人等の事件が発生した場合、検視官が現場対応者である警察官からの検視要請に基づき遺体等の状態を直接確認することが行われている。しかしながら、検視官の人数などによる制限により、全ての現場に検視官が赴いて直接確認することは困難である。例えば、近年の統計によれば、実際に検視官が赴いて直接確認を行った割合は、全国の平均で約３７％程度にとどまっている。そこで、このような問題に対し、現場対応者がカメラ等で遺体等を撮影しサーバに送信するということが提案されている（非特許文献１参照）。この場合、撮影された画像データに基づいて検視官が事件性の有無を調べる。
また、必ずしも画像が送信される必要はなく、現場対応者が現場で撮影した遺体等の画像データを持ち帰る場合もあった。
【先行技術文献】
【非特許文献】
【０００３】
【非特許文献１】［online］、［平成24年4月13日検索］、インターネット（URL:http://www.asahi.com/digital/av/OSK201202170057.html
【発明の概要】
【発明が解決しようとする課題】
【０００４】
近年ネットワークを介して個人が様々なデータを第三者に公開することが容易となっている。そのため、現場対応者が撮影した現場の画像データがカメラ等に残っていると、画像データが流出してしまう恐れがあった。したがって、このような画像データの漏えいを減少させることが求められている。
【０００５】
上記事情に鑑み、本発明は、画像データの漏えいを減少させる技術の提供を目的としている。
【課題を解決するための手段】
【０００６】
本発明の一態様は、ユーザの操作に応じて撮影を行い、画像を生成する画像データ生成部と、前記画像データ生成部により生成された画像データを記憶する画像データ記憶部と、前記画像データ記憶部に記憶されている画像データを送信する無線通信部と、前記無線通信部が前記画像データを送信した後に、前記画像データ記憶部に記憶されている前記画像データを削除する削除部と、を備える通信装置である。
【０００７】
本発明の一態様は、上記の通信装置であって、前記削除部が、前記無線通信部が前記画像データを送信しなかった場合は、所定の条件を満たした場合に、前記画像データ記憶部に記憶されている前記画像データを削除する。
【０００８】
本発明の一態様は、上記の通信装置であって、前記所定の条件は、前記無線通信部が、前記画像データの送信処理を開始した時間又は前記画像データの送信処理を行った回数を条件とする。
【０００９】
本発明の一態様は、ユーザの操作に応じて撮影を行い、画像を生成する画像データ生成ステップと、画像データ記憶部が、前記画像データ生成ステップにより生成した画像データを記憶する画像データ記憶ステップと、前記画像データ記憶部に記憶されている前記画像データを送信する無線通信ステップと、前記無線通信ステップにおいて前記画像データを送信した後に、前記画像データ記憶部に記憶されている前記画像データを削除する削除ステップと、を有する通信方法である。
【００１０】
本発明の一態様は、ユーザの操作に応じて撮影を行い、画像を生成する画像データ生成ステップと、画像データ記憶部が、前記画像データ生成ステップにより生成した画像データを記憶する画像データ記憶ステップと、前記画像データ記憶部に記憶されている前記画像データを送信する無線通信ステップと、前記無線通信ステップにおいて前記画像データを送信した後に、前記画像データ記憶部に記憶されている前記画像データを削除する削除ステップと、をコンピュータに実行させるためのコンピュータプログラムである。
【発明の効果】
【００１１】
本発明により、画像データの漏えいを減少させることが可能となる。
【図面の簡単な説明】
【００１２】
【図１】本発明における画像情報伝送システムのシステム構成を示す図である。
【図２】無線端末１００の機能構成を表す概略ブロック図である。
【図３】無線端末１００の初期設定処理の流れを表すフローチャートである。
【図４】無線端末１００の動作を表すフローチャートである。
【発明を実施するための形態】
【００１３】
図１は、本発明における画像情報伝送システムのシステム構成を示す図である。本発明の画像情報伝送システムは、無線端末１００、ネットワーク２０、データ収集装置３０及びパーソナルコンピュータ４０を備える。
無線端末１００は、例えばスマートフォン、携帯電話機、ＰＤＡ（Personal Digital Assistant）、携帯ゲーム装置、タブレット装置、ノート型パーソナルコンピュータ等の携帯可能な情報処理装置を用いて構成される。無線端末１００は、ユーザが撮影した画像データを、ネットワーク２０を介してデータ収集装置３０に送信する。無線端末１００は、ユーザが撮影した画像データを、送信後に削除する。以下、画像データを送信後に削除する処理を「通常削除」という。また、無線端末１００は、画像データを送信しない場合、所定の条件を満たした場合に画像データを削除する。以下、送信せずに画像データを削除する処理を「強制削除」という。
【００１４】
ネットワーク２０は、どのように構成されたネットワークであっても良い。例えば、ネットワーク２０は移動体通信事業者ＩＰ網と固定通信事業者ＩＰネットワークとで構成されても良い。
データ収集装置３０は、サーバ装置やパーソナルコンピュータ等の情報処理装置を用いて構成される。データ収集装置３０は、例えば県警本部事務室のデータ端末であっても良い。データ収集装置３０は、ネットワーク２０を介して無線端末１００から画像データを受信し、受信された画像データを記憶する。
パーソナルコンピュータ４０は、情報処理装置を用いて構成される。パーソナルコンピュータ４０は、データ収集装置３０によって記憶されている画像データをユーザが閲覧する場合にユーザによって使用される。
【００１５】
図２は、無線端末１００の機能構成を表す概略ブロック図である。無線端末１００は、バスで接続されたＣＰＵ（Central Processing Unit）やメモリや補助記憶装置などを備え、制御プログラムを実行する。制御プログラムの実行によって、無線端末１００は、入力部１０１、画像データ生成部１０２、画像データ記憶部１０３、削除回数記憶部１０４、無線通信部１０５、判断部１０６、数値加算部１０７、測定回数記憶部１０８、大小判断部１０９、削除部１１０、初期設定部１１１を備える装置として機能する。なお、無線端末１００の各機能の全て又は一部は、ＡＳＩＣ（Application Specific Integrated Circuit）やＰＬＤ（Programmable Logic Device）やＦＰＧＡ（Field Programmable Gate Array）等のハードウェアを用いて実現されても良い。また、制御プログラムは、コンピュータ読み取り可能な記録媒体に記録されても良い。コンピュータ読み取り可能な記録媒体とは、例えばフレキシブルディスク、光磁気ディスク、ＲＯＭ、ＣＤ−ＲＯＭ等の可搬媒体、コンピュータシステムに内蔵されるハードディスク等の記憶装置である。また、制御プログラムは、電気通信回線を介して送受信されても良い。
【００１６】
入力部１０１は、キーボード、ポインティングデバイス（マウス、タブレット等）、ボタン、タッチパネル等の既存の入力装置を用いて構成される。入力部１０１は、ユーザの指示を無線端末１００に入力する際にユーザによって操作される。入力部１０１は入力装置を無線端末１００に接続するためのインターフェースであっても良い。この場合、入力部１０１は、入力装置においてユーザの入力に応じ生成された入力信号を無線端末１００に入力する。
【００１７】
画像データ生成部１０２は、撮影を行い画像データを生成する。より具体的には、画像データ生成部１０２は以下のように構成される。画像データ生成部１０２は、レンズ及び撮像素子を備え、撮像素子に入射した光に基づいて画像データを生成する。画像データ生成部１０２は、例えばユーザが入力部１０１を操作して撮影指示を無線端末１００に入力した場合に、撮影指示に応じて画像データを生成する。画像データ生成部１０２は、生成した画像データを画像データ記憶部１０３に記録する。
画像データ記憶部１０３は、磁気ハードディスク装置や半導体記憶装置などの記憶装置を用いて構成される。画像データ記憶部１０３は、画像データ生成部１０２によって生成された画像データを記憶する。
【００１８】
削除回数記憶部１０４は、磁気ハードディスク装置や半導体記憶装置などの記憶装置を用いて構成される。削除回数記憶部１０４は、削除回数を記憶する。削除回数は、ユーザによって設定される。削除回数とは、画像データを送信できなかった場合に、画像データが強制削除されるまでに繰り返し実行される送信処理の回数である。削除回数として設定された値と同じ回数の送信処理を行っても画像データを送信できなかった場合には、その画像データは削除部１１０によって強制削除される。
【００１９】
無線通信部１０５は、携帯電話網の基地局を介してネットワーク２０に接続し、他の装置との間で通信を行う。例えば、無線通信部１０５は、画像データ記憶部１０３に記録されている画像データを、ネットワーク２０を介してデータ収集装置３０に送信する。
判断部１０６は、無線通信部１０５によって受信されている電波に基づいて、無線端末１００が通信可能エリア内に位置しているか否かを判断する。通信可能エリアとは、無線通信部１０５がネットワーク２０に接続可能となる領域を指す。例えば、無線通信部１０５が携帯電話網の基地局と通信可能な領域が通信可能エリアである。
【００２０】
数値加算部１０７は、数値の加算処理を行う。数値加算部１０７は、無線端末１００が通信可能エリア外であると判断部１０６によって判断された場合、測定回数記憶部１０８の測定回数に“１”を加算する。測定回数は、無線通信部１０５が画像データの送信処理を行った回数である。
測定回数記憶部１０８は、磁気ハードディスク装置や半導体記憶装置などの記憶装置を用いて構成される。測定回数記憶部１０８は、測定回数を記憶する。測定回数記憶部１０８が記憶する測定回数は、数値加算部１０７によって加算される。
【００２１】
大小判断部１０９は、削除回数記憶部１０４に記録された削除回数と、測定回数記憶部１０８に記録された測定回数とを比較し、どちらの値が大きいか判断する。
削除部１１０は、画像データ記憶部１０３に記録されている画像データを削除する。
初期設定部１１１は、初期設定処理を行う。
【００２２】
図３は、無線端末１００の初期設定処理の流れを表すフローチャートである。ユーザが入力部１０１を操作して、無線端末１００に電源を投入する（ステップＳ１０１）。無線端末１００は電源が投入されると、ＯＳを起動する（ステップＳ１０２）。次に、無線端末１００が、ＯＳに対して予め指定されているアプリケーション（例えば、カメラアプリケーション）を起動する（ステップＳ１０３）。このアプリケーションの起動によって、画像データ生成部１０２、判断部１０６、数値加算部１０７、大小判断部１０９、削除部１１０、初期設定部１１１が起動する。画像データ記憶部１０３に画像データが残っている場合は、削除部１１０が画像データを削除する（ステップＳ１０４）。
【００２３】
その後、初期設定部１１１がユーザにＰＩＮコードを要求する（ステップＳ１０５）。ユーザは、入力部１０１を操作してＰＩＮコードを入力する（ステップＳ１０６）。初期設定部１１１はユーザが入力部１０１に入力したＰＩＮコードを確認する。初期設定部１１１は、ＰＩＮコードを正しいと判断した場合（ステップＳ１０６−ＹＥＳ）、スクリーンロック解除のためのパターン入力をユーザに要求する。ユーザは、入力部１０１を操作してパターン入力を行う（ステップＳ１０８）。初期設定部１１１は、ユーザによって入力されたパターンが正しいと判断した場合（ステップＳ１０８−ＹＥＳ）、ユーザに認証情報ストレージパスワードの入力を要求する。ユーザは、入力部１０１を操作して認証情報ストレージパスワードを入力する（ステップＳ１１０）。初期設定部１１１は、ユーザによって入力された認証情報ストレージパスワードが正しいと判断した場合（ステップＳ１１０−ＹＥＳ）、初期化処理が完了したと判断する（ステップＳ１１３）。
【００２４】
一方、初期設定部１１１は、入力されたＰＩＮコードを正しくないと判断した場合（ステップＳ１０６−ＮＯ）、ＳＩＭカードをロックし（ステップＳ１０７）、ユーザによって無線端末１００の再設定が行われるまで待機する（ステップＳ１１２）。
初期設定部１１１は、一定回数誤ったパターンが入力されたと判断した場合（ステップＳ１０８−ＮＯ）、無線端末１００を初期化し（ステップＳ１０９）、ユーザによって無線端末１００の再設定が行われるまで待機する（ステップＳ１１２）。
【００２５】
初期設定部１１１は、入力された認証情報ストレージパスワードが正しくないと判断した場合（ステップＳ１１０−ＮＯ）、暗号化情報の削除処理を行い（ステップＳ１１１）、ユーザによって無線端末１００の再設定が行われるまで待機する（ステップＳ１１２）。
ステップＳ１１３の処理の後、初期設定部１１１は、認証キーを確認する（ステップＳ１１４）。初期設定部１１１は、認証キーを正しいと判断した場合（ステップＳ１１４−ＹＥＳ）、登録ＳＩＭカードの情報を確認する（ステップＳ１１５）。初期設定部１１１は、登録ＳＩＭカードの情報を正しいと判断した場合（ステップＳ１１５−ＹＥＳ）、ユーザにＶＰＮ（Virtual Private Network）パスワードを要求する。ユーザは、入力部１０１を操作してＶＰＮパスワードを入力する（ステップＳ１１６）。初期設定部１１１は、ユーザによって入力されたＶＰＮパスワードを正しいと判断した場合（ステップＳ１１６−ＹＥＳ）、無線通信部１０５を介してデータ収集装置３０との間でＶＰＮを接続し、使用準備が完了したと判断する（ステップＳ１１８）。
【００２６】
一方、初期設定部１１１は、認証キーを正しくないと判断した場合（ステップＳ１１４−ＮＯ）、指定されているアプリケーション（ステップＳ１０３で起動したアプリケーション）を終了させ、初期化処理完了状態に戻る。初期設定部１１１は、登録ＳＩＭカードの情報を正しくないと判断した場合（ステップＳ１１５−ＮＯ）、指定されているアプリケーションを終了させ、初期化処理完了状態に戻る。初期設定部１１１は、入力されたＶＰＮパスワードを正しくないと判断した場合（ステップＳ１１６−ＮＯ）、無線通信部１０５を無線通信できない状態に設定することによって自装置（無線端末１００）を通信エリア外とし（ステップＳ１１７）、使用準備が完了したと判断する（ステップＳ１１８）。
【００２７】
図４は、無線端末１００の動作を表すフローチャートである。図３に示した初期設定処理の実行によって無線端末１００は撮影可能な状態となる（ステップＳ２００）。
ユーザが入力部１０１を操作して、撮影指示を入力すると、画像データ生成部１０２がレンズを透過して撮影素子に到達した光に基づいて画像データを生成する（ステップＳ２０１）。画像データ記憶部１０３は画像データ生成部１０２によって生成された画像データを記憶する（ステップＳ２０２）。
次に、ユーザは、入力部１０１を操作することによって削除回数を設定する（ステップＳ２０３）。削除回数記憶部１０４は、ユーザによって入力設定された値（削除回数）を記録する。
【００２８】
次に、無線通信部１０５が受信している電波に基づいて、無線端末１００が通信可能エリア内に位置しているか否か、判断部１０６が判断する（ステップＳ２０４）。無線端末１００の位置が通信可能エリア内であれば（ステップＳ２０４−ＹＥＳ）、無線通信部１０５は画像データ記憶部１０３に記録されている画像データをデータ収集装置３０に送信する（ステップＳ２０５）。無線通信部１０５による送信処理が完了すると、削除部１１０は、画像データ記憶部１０３に記録されている画像データを通常削除する（ステップＳ２０８）。
【００２９】
一方、判断部１０６が無線端末１００の位置を通信可能エリア外であると判断した場合（ステップＳ２０４−ＮＯ）、数値加算部１０７は、測定回数記憶部１０８に記録されている測定回数に“１”を加算する（ステップＳ２０６）。次に、大小判断部１０９が、測定回数記憶部１０８に記録された測定回数と、削除回数記憶部１０４に記録された削除回数とを比較する（ステップＳ２０７）。測定回数が削除回数より少ない場合（ステップＳ２０７−ＮＯ）、ステップＳ２０４の処理に戻り、無線通信部１０５は再度データの送信処理を行う。
一方、測定回数が削除回数以上である場合（ステップＳ２０７−ＹＥＳ）、削除部１１０は画像データ記憶部１０３から画像データを強制削除する（ステップＳ２０９）。
無線端末１００は、画像データ記憶部１０３に記録されている画像データの削除が完了すると、再び使用可能状態になる（ステップＳ２１０）。
【００３０】
以上のように構成された無線端末１００によれば、無線端末１００は起動から使用可能な状態となるまでに多くの認証を必要とする。そのため、第三者による無線端末１００の操作を防止することが可能となり、セキュリティを向上させることが可能となる。
また、ユーザが画像を撮影した場合、撮影された画像データはデータ収集装置３０に送信された後、自動的に削除される。そのため、無線端末１００本体に画像データが残ることがなくなり、画像データの漏えいを減少できる。
またエリア外に位置することを原因として画像データを送信できなかった場合であっても、所定の条件を満たした場合は強制削除される。そのため無線端末１００本体に画像データが残らず、画像データの漏えいを減少することが可能となる。
【００３１】
＜変形例＞
削除回数に代えて削除時間が用いられても良い。削除時間とは、画像データを送信できなかった場合に画像データが強制削除されるまでの時間である。削除時間が用いられる場合には、無線端末１００の動作は以下の通りとなる。削除回数記憶部１０４は、ユーザによって設定された削除時間を記憶する。大小判断部１０９は、撮影が実行されてから現時点までの時間（経過時間）を計り、経過時間が削除時間を超えたか否かを判断する。削除部１１０は、経過時間が削除時間を超えた場合、画像データを強制削除する。
【００３２】
以上、この発明の実施形態について図面を参照して詳述してきたが、具体的な構成はこの実施形態に限られるものではなく、この発明の要旨を逸脱しない範囲の設計等も含まれる。
【符号の説明】
【００３３】
１００…無線端末，  １０１…入力部，  １０２…画像データ生成部，  １０３…画像データ記憶部，  １０４…削除回数記憶部，  １０５…無線通信部，  １０６…判断部，  １０７…数値加算部，  １０８…測定回数記憶部，  １０９…大小判断部，  １１０…削除部，  １１１…初期設定部，  ２０…ネットワーク，  ３０…データ収集装置，  ４０…パーソナルコンピュータ
【図１】
2013239903.tif 000003
【図２】
2013239903.tif 000004
【図３】
2013239903.tif 000005
【図４】
2013239903.tif 000006